(57)【要約】【課題】握持、保持されるグリップ間にスペーサを介在して太径化した元竿杆を有する釣竿であって、軽量化が図れると共に、外観が良好な釣竿を提供する。【解決手段】本発明の釣竿は、元竿杆５に装着され、それぞれ柔軟性のある材料で形成されたミッドグリップ３０とリアグリップ４０との間にスペーサを配設し、そのスペーサ上に管状体３５を圧入してグリップ間を太径化する。スペーサは、ミッドグリップ３０を後方側に延長することで形成されており、その延長した後方延長部３２に管状体３５を被着したことを特徴とする。【選択図】  図２
2019058157.tif 000002
【特許請求の範囲】
【請求項１】
元竿杆に装着され、それぞれ柔軟性のある材料で形成された前グリップと後グリップとの間にスペーサを配設し、そのスペーサ上に管状体を圧入して前記グリップ間を太径化した釣竿であって、
前記スペーサは、前記前グリップを後方側に延長することで形成されており、その延長した延長部に前記管状体を被着したことを特徴とする釣竿。
【請求項２】
前記延長部の外径をｄ、前記管状体の内径をｄ１とした場合、ｄ≧ｄ１となるように前記延長部及び管状体を形成したことを特徴とする請求項１に記載の釣竿。
【請求項３】
前記延長部に圧入される管状体と、前記管状体が当て付く前グリップ後端部との境界部において、
前記前グリップ後端部の境界部における外径をＤ、前記管状体の外径をＤ１とした場合、Ｄ≧Ｄ１となるように前記前グリップ及び管状体を形成したことを特徴とする請求項１又は２に記載の釣竿。
【請求項４】
前記後グリップの前端側に、前記管状体の内面に圧入される延長部を形成したことを特徴とする請求項１から３のいずれか１項に記載の釣竿。
【請求項５】
元竿杆に装着され、それぞれ柔軟性のある材料で形成された前グリップと後グリップとの間にスペーサを配設し、そのスペーサ上に管状体を圧入して前記グリップ間を太径化した釣竿であって、
前記スペーサは、前記後グリップを前方側に延長することで形成されており、その延長した延長部に前記管状体を被着したことを特徴とする釣竿。
【発明の詳細な説明】
【技術分野】
【０００１】
本発明は釣竿に関し、詳細には、船釣りで使用され、元竿部分に特徴を備えた釣竿に関する。
【背景技術】
【０００２】
最近の釣竿は、対象魚に応じて、好ましい性能が発揮できる構造にすることが行なわれている。船釣りで使用される釣竿において、例えば、鯛を対象魚とした釣竿は、軽量で撓み性に優れた釣竿特性が要求される。すなわち、鯛は、警戒心が強く、太い釣糸を使用したり、仕掛けに付けた餌が不自然な動きをすると釣果に影響を及ぼすことから、細い釣糸を使用しても切れにくく、餌が不自然な動き（竿の弾性によって跳ねるような動き）にならないように、釣竿全体として柔軟でしなやかに曲がる調子が望まれる。
【０００３】
例えば、非特許文献１の第１１４頁には、鯛釣りに適した船用の釣竿（リーオマスター；登録商標）が開示されており、釣竿全体でしなやかな曲りが実現できるように、リールが装着される元竿部分においても、十分に撓むことが可能な構造となっている。元竿杆を撓みやすくするためには、その径は細い方が好ましく、具体的には、軽量化も考慮すると、直径が７〜１０ｍｍ程度であれば、元竿杆を十分に撓ませることが可能である。また、上記した釣竿には、実釣時において、握持性が良好となるように、フロントグリップ、ミッドグリップ、リアグリップが装着されており、これらのグリップとしては、握り心地が良好となるように、例えばＥＶＡやウレタンなど合成樹脂製の発泡材や、コルクなどの天然材が用いられている。
【０００４】
ところで、上記した釣竿は、船縁に装着される釣竿ホルダに対して着脱自在に装着して操作することがあり、このような使用態様では、釣竿ホルダ用のロッドクランプ（クランプヘッドとも称される）を、ミッドグリップとリアグリップの間の竿杆が露出している部分に挟持する必要がある。この場合、上記したように、元竿は細径化されており、ロッドクランプの挟持状態が安定しない（特に、重量が重い電動リールを装着すると竿杆が回転し易くなってしまい、安定して釣竿を保持できない）ことから、図６に示すように、ミッドグリップ１１０とリアグリップ１３０との間の元竿杆１００に、太径化する管状のスペーサ１２０を装着し、その部分の表面に、表面塗装などの処理が成されるカーボンパイプ１４０を被せることで、ロッドクランプを安定して挟持できるようにすることが行われている。
【先行技術文献】
【特許文献】
【０００５】
【非特許文献１】DAIWA FISHING TACKLE 2017（カタログ）
【発明の概要】
【発明が解決しようとする課題】
【０００６】
上記したミッドグリップとリアグリップの間に装着される管状のスペーサは、重量化しないように発泡材（高発泡材）が用いられている。しかし、発泡材は、寸法誤差が大きいため、軸方向両側に位置するミッドグリップ及びリアグリップとの間で偏芯が生じ易いという問題がある。上記のように、ミッドグリップ及びリアグリップも、寸法誤差が大きい発泡性の材料が用いられることから、これらのグリップとスペーサとの間で同芯度を確保すことが難しく、このため、実際にこれらの部材を元竿杆に装着すると、カーボンパイプとミッドグリップの境界部分、カーボンパイプとリアグリップの境界部分で偏芯状態が生じて、違和感を生じさせてしまうことがある。このため、従来では、そのような違和感を生じさせないように、寸法誤差を予め考慮して、ミッドグリップ及びリアグリップの境界部で、カーボンパイプとの間で径差を大きくしており、寸法誤差を吸収するようにしている。
【０００７】
この結果、ミッドグリップやリアグリップの肉厚が厚くなってしまい、元竿杆部分の重量が増加してしまう。また、ミッドグリップ及びリアグリップの径を大きくすると、その間に被着されるカーボンパイプとの間での径差が大きくなってしまうことから、良好な外観（細身外観）が得られない。
【０００８】
本発明は、上記した問題に着目してなされたものであり、握持、保持されるグリップ間にスペーサを介在して太径化した元竿杆を有する釣竿であって、軽量化が図れると共に、外観が良好な釣竿を提供することを目的とする。
【課題を解決するための手段】
【０００９】
上記した目的を達成するために、本発明に係る釣竿は、元竿杆に装着され、それぞれ柔軟性のある材料で形成された前グリップと後グリップとの間にスペーサを配設し、そのスペーサ上に管状体を圧入して前記グリップ間を太径化したものであり、前記スペーサは、前記前グリップを後方側に延長することで形成されており、その延長した延長部に前記管状体を被着したことを特徴とする。
【００１０】
上記した構成の釣竿は、前グリップと後グリップの間の竿杆（元竿杆）を太径化するに際し、太径化を実現するためのスペーサを前グリップで形成したことから、前グリップとスペーサの同芯度を確保することが可能となる。このため、両者の間で芯ズレの発生が防止され、前グリップを不必要に厚肉化する必要がなくなって、全体として軽量化が図れると共に、スペーサの前端部分から前グリップに移行する境界部分が不必要に膨らむこともなく細身外観が得られる。また、前グリップは、元竿杆の基端側から圧入されることとなるが、前グリップの圧入時にそのままスペーサも追従して圧入されることから、作業性も向上し、薄肉厚のスペーサを実現できる。
【００１１】
また、本発明におけるグリップ間に配設されるスペーサは、元竿杆に圧入される後グリップを前方側に延長することで形成することも可能である。
【発明の効果】
【００１２】
本発明によれば、握持、保持されるグリップ間にスペーサを介在して太径化した元竿杆を有する釣竿に関し、軽量化が図れると共に、良好な外観が得られるようになる。
【図面の簡単な説明】
【００１３】
【図１】本発明に係る釣竿の第１の実施形態を示し、元竿杆部分の構成を示す部分断面図。
【図２】図１に示すミッドグリップとリアグリップの間の構成を示す部分断面図。
【図３】本発明に係る釣竿の第２の実施形態を示し、元竿杆のミッドグリップとリアグリップの間の構成を示す部分断面図。
【図４】本発明に係る釣竿の第３の実施形態を示し、元竿杆部分の構成を示す部分断面図。
【図５】図４に示すミッドグリップとリアグリップの間の構成を示す部分断面図。
【図６】従来のスペーサ構造を示す図。
【発明を実施するための形態】
【００１４】
以下、本発明に係る釣竿の実施形態について説明する。なお、本発明は、元竿杆に装着されるグリップ間を太径化することに特徴があることから、以下の実施形態では、元竿杆部分を図示して説明する。このため、釣竿として、竿杆の継本数、竿杆同士の継構造については、限定されることはない。
【００１５】
図１及び図２は、本発明の第１の実施形態を示す図であり、図１は、元竿杆部分の構成を示す部分断面図、図２は、図１に示すミッドグリップとリアグリップの間の構成を示す部分断面図である。
釣竿１を構成する元竿杆５は、本実施形態では、管状の部材として構成されており、公知のように、強化繊維に合成樹脂を含浸したプリプレグシートを芯金に巻回し、加熱処理することで合成樹脂を硬化し、その後、脱芯することで形成されている。元竿杆５は、外周面が軸方向に沿ってストレート状に形成されており、その直径は７〜１０ｍｍ程度の範囲で形成されると共に、プリプレグシートについては、竿先側に負荷が作用した際、元竿杆そのものが撓むことができる構造のものが用いられる。そして、ストレート形状に形成された元竿杆５には、矢印Ｄ１で示す後端側から、以下の構成部材が圧入され、その表面に接着、固定される。
【００１６】
元竿杆５に対して圧入、固定される構成部材は、竿先側からフロントグリップ１０、筒状のリールシート２０、ミッドグリップ３０、及び、リアグリップ４０である。
本実施形態では、元竿杆に対して、３つのグリップが圧入、固定され、ミッドグリップ３０とリアグリップ４０の間が元竿杆の露出する部分となり、ここにスペーサ及び管状体を被着して太径化を図るようにしている。このため、請求項で特定する前グリップは、ミッドグリップ３０を意味しており、後グリップは、リアグリップ４０を意味している。  
これら元竿杆５に圧入、固定される３つのグリップ１０，３０，４０は、軽量化が図れると共に握り心地が良好な材料、例えば、ＥＶＡ等の柔軟性を有する発泡材、コルク等によって形成される。また、発泡材を用いる場合、ある程度の強度が維持できるように低発泡のものを用いるのが好ましい。
【００１７】
前記フロントグリップ１０は、先端側に移行するに連れて次第に縮径化するように形成されており、その後端にリールシート２０が当て付くようにして固定される。リールシート２０の構成については限定されることはないが、筒状でリール脚載置面２１ａを有する本体２１と、本体２１の後方側に設けられてリール脚を固定する固定フード２２と、本体２１の前方側に設けられた雄ネジ部２１ｂに螺合するナット２３ａを具備し、リール脚を締め付け固定する移動フード２３とを備えている。すなわち、リールのリール脚をリール脚載置面２１ａに載置し、リール脚の後方側を固定フード２２に嵌合し、この状態で移動フード２３の締め付けナット２３ａを回転操作して移動フード２３を固定フード２２に対して、接近／離反させることでリールの着脱が成される。
なお、リールシート２０には、リール脚載置面と反対側に指掛け部２５等を形成しても良いし、前方側を固定フードとし、後方側を移動フードとしても良い。
【００１８】
前記リールシート２０の後方側には、前記ミッドグリップ３０が圧入、固定される。  
ミッドグリップ３０は、その先端が前記リールシートの固定フード２２と当接し、その部分から後方側が次第に縮径するように形成されている（この縮径する領域は、露出する部分であり、握持部３１と称する）。ミッドグリップ３０には、握持部３１と一体的に、後方側に向けて延出（延長）する延長部（後方延長部）３２が形成されている。この延長部３２は、元竿杆５の外周面に密着して圧入されるように、ストレート形状に形成されており、ミッドグリップとリアグリップ４０の間で元竿杆５の径を太径化するスペーサとしての機能を備えている。
【００１９】
前記ミッドグリップ３０が後方から圧入、固定された後、延長部３２の外周面には、管状体３５が圧入、固定される。この管状体３５は、軽量であり、また、ロッドクランプが挟着されることから高強度であることが好ましく、繊維強化樹脂製のものが用いられる。すなわち、上記した延長部３２を厚肉化して径を確保し、かつ、軽量（薄肉厚）で高強度の管状体３５を被着することで、元竿杆を効率よく太径化することが可能である。この場合、管状体３５の肉厚ｔは、０．５〜１．０ｍｍ程度に形成されていれば良く、管状体３５の表面には、元竿杆５の外面と同じ模様の表面処理を施しても良いし、異なる模様の表面処理を施しても良い。
【００２０】
前記延長部３２が形成されたミッドグリップ３０は、上記したように、ＥＶＡ等の発泡性のある材料で形成される。ミッドグリップ３０には、中心の軸方向に沿って元竿杆５が嵌入する貫通孔が形成されると共に、その外周面に、露出する握持部３１と、その握持部から後方に向けて延長し管状体３５が被着される管状の延長部３２が一体形成される。このような形状のミッドグリップ３０は、例えば、円柱形状に形成された上記の発泡材に、元竿杆５の径と略同一の貫通孔を形成し、その後、貫通孔部分をチャックして、握持部３１及び延長部３２が形成されるように表面加工を施せば良い。或いは、握持部３１及び延長部３２については、センターレス加工等によって形成することも可能である。
【００２１】
前記ミッドグリップ３０の延長部３２の肉厚Ｔについては特に限定されないが、発泡性のＥＶＡを加工する場合、２〜４ｍｍ程度の範囲で形成することが可能であり、スペーサとして、その部分の直径を４〜８ｍｍ程度、太径化することが可能となる。また、ミッドグリップ３０の握持部３１と延長部３２との境界部分には、圧入される管状体３５が当て付いて位置決めでき、かつ、管状体３５の表面と面一状になるように、管状体３５の肉厚に相当する段部（停止部）３４を形成しておくことが好ましい。
【００２２】
前記段部３４は、軸方向に対して垂直方向に形成して圧入される管状体３５の端面が面当たりするような構成であっても良いし、穂先側に向けて次第に拡径する傾斜面や階段状に拡径する段面で構成しても良い。後者のような構成の場合、管状体３５の端面との間に僅かな隙間Ｇ（接着剤溜まり）を形成することが可能となる。すなわち、接着剤を塗布して管状体３５を圧入した際、管状体３５の内面に塗布された接着剤がしごかれ、接着剤溜まりとなる隙間Ｇに溜まり、これがアンカー効果を発揮して、管状体の剥離を効果的に防止することが可能となる。
【００２３】
上記した構成では、延長部３２の外径をｄ、管状体３５の内径をｄ１とした場合、ｄ≧ｄ１となるように延長部３２及び管状体３５を形成することが好ましい。管状体３５の圧入に際しては、延長部３２は弾性変形可能であることから、延長部３２の外径が管状体３５の内径と同じか僅かに大きくしても圧入することが可能である。また、両部材の径差が少ないことから、芯ズレが生じ難くなり、延長部３２の外周面に対する管状体３５の接着状態が安定して両者の間で剥離が生じることが抑制される。
【００２４】
また、ミッドグリップ３０の握持部３１と延長部３２との境界部（前記段部３４が形成される部分）では、ミッドグリップ３０の後端部の境界部Ｐ１の外径をＤ、管状体３５の外径をＤ１とした場合、Ｄ≧Ｄ１となるように握持部３１及び管状体３５を形成しておくことが好ましい。
すなわち、握持部３１の後端部における外径を管状体３５の外径と同じか僅かに大きく設定しておくことにより、管状体から握持部への移行領域を略面一状にすることができ、外観を綺麗に仕上げることができる（細身外観となる）。また、このような細身外観となる形状になるため、ミッドグリップを軽量化することができる。さらに、両者の径を殆ど同一にすることで、握持部３１と延長部３２の境界部分に大きな段差が生じないことから、元竿杆５が撓んだ際の応力集中を最小化することができ、両者の間の剛性ギャップを少なくすることが可能となる。
【００２５】
そして、前記延長部３２に対して管状体３５が圧入された後、元竿杆５には、リアグリップ４０が圧入される。本実施形態では、延長部３２と管状体３５は、同一の長さに形成されており、管状体３５の圧入後、その端面に対して、リアグリップ４０の前端縁が当て付くように圧入、固定される。この場合、リアグリップ４０の前端の境界部Ｐ２における外径をＤ２とした場合、管状体３５の外径Ｄ１との間では、Ｄ２≧Ｄ１となるようにリアグリップを形成しておくことが好ましい。すなわち、リアグリップ４０の前端部における外径を管状体３５の外径と同じか僅かに大きく設定しておくとにより、ミッドグリップ部分と同様、管状体からリアグリップへの移行領域を略面一状にすることができ、外観を綺麗に仕上げることができる（細身外観となる）。
【００２６】
以上のような構成によれば、スペーサとなる延長部３２は、ミッドグリップ３０と一体形成されているため、両者の間では、同芯度を確保することが可能となり、したがって、従来のように、ミッドグリップ３０を厚肉化する必要もなく、軽量化が図れ、かつ、外観を細身にして綺麗に仕上げることが可能となる。また、従来のように、単なる管状のスペーサを元竿杆に圧入するのではなく、ミッドグリップ３０と一体化した状態の延長部（スペーサ）を圧入するので、ミッドグリップ圧入時に、そのままスペーサも一体的に圧入されるため、延長部を薄肉厚化しても圧入作業が容易に行えるようになる。すなわち、従来のスペーサでは、薄肉厚化すると、元竿杆圧入時にコシが無く、圧入作業が容易に行えないか、或いは、ある程度、厚肉にする必要があったが、上記した実施形態では、そのような問題が生じることもない。
【００２７】
また、従来のように、前グリップとは別体のスペーサを圧入する構成では、元竿杆５が大きく撓むとミッドグリップの後端縁とスペーサとの間隔が開き、これによりスペーサがミッドグリップから剥離する（亀裂が生じる）という問題が生じていたが、上記した構成では、スペーサは前グリップと同一の材料で一体化されているため、元竿杆が大きく撓んでもそのような剥離が生じることもない。また、そのような剥離が生じ難いことから、接着不良や異音が発生することも防止することができる。
【００２８】
上記した元竿杆５を備えた釣竿１は、鯛釣りに用いるなど、船釣り用で元竿杆の外径が細く軽量化され、元竿杆そのものも撓みやすい構造となっている。上述したように、ミッドグリップ３０とスペーサである延長部３２は同芯度が確保されることから、ミッドグリップの後端部境界部Ｐ１における外径Ｄと、延長部に圧入される管状体３５の外径Ｄ１の径差は可能な限り少なくすることが可能である。具体的には、Ｄを１５ｍｍ、Ｄ１を１４ｍｍにして、両者の径差を１ｍｍ以下に設定（片肉厚で０．５ｍｍ以下）したとしても、両者の間で外観を低下させるような段差が生じることが防止できる。また、管状体３５は圧入できるため、外径Ｄを更に小さくすることが可能であり、これにより、管状体３５の表面とミッドグリップ３０の表面を上記したように略面一状にすることが容易に行えるようになる。
【００２９】
さらに、上記した形態の釣竿は、ミッドグリップ３０とリアグリップ４０との間の管状体３５の部分に図示していないロッドクランプが装着され、実釣時では、釣り人は、リールシート２０からミッドグリップ３０の領域を片手で握持保持し、他方の手でリアグリップ４０を握持保持する。このため、握り易いように、各グリップの最大外径は、２５ｍｍ程度、確保されるが、上記のように、管状体３５との境界部分は細径化できる（従来の構成では、Ｄは１８ｍｍ程度）ことから、グリップの最大外径と境界部分における外径の間の径差を従来よりも大きくすることができる（従来では、７ｍｍ程度の径差であったところ、上記した構成では、少なくとも９ｍｍ以上の径差を確保できる）。この結果、各グリップにおいて、境界部分から最大外径に至る領域のテーパを、従来よりもきつくすることができるため、握り易く、かつ、滑り難いグリップ構造とすることが可能となる。
【００３０】
図３は、本発明の第２の実施形態を示し、元竿杆のミッドグリップとリアグリップの間の構成を示す部分断面図である。
この実施形態では、リアグリップ４０の握持部の前端側に、上記した実施形態の管状体３５の内面に圧入されるように前方側に延出する延長部４２を形成している。このため、管状体３５は、ミッドグリップ３０の延長部３２に対して、若干長くなるように形成されている。
【００３１】
この場合、リアグリップ４０の延長部４２は、あまり長くし過ぎると、管状体３５の内面に圧入する際、コシが弱くなるため、その長さは５ｍｍ以下、好ましくは、２〜３ｍｍ程度確保されていれば良い。上記したように、スペーサ（ミッドグリップの延長部３２）は、元竿杆５の中心軸に対して、同芯度を精度良く確保することができるため、リアグリップ４０に延長部４２を形成し、この部分を管状体３５の内面に圧入することが容易に行えるようになり、これにより、ミッドグリップと同様、リアグリップを太径化する必要もない。すなわち、リアグリップ４０も細身外観に仕上げることができるため、軽量化が図れると共に、外観を向上することが可能となる。
【００３２】
図４及び図５は、本発明の第３の実施形態を示し、図４は、元竿杆部分の構成を示す部分断面図、図５は、図４に示すミッドグリップとリアグリップの間の構成を示す部分断面図である。
上記した実施形態では、元竿杆５に対して、図１の矢印Ｄ１で示すように、後方側から各種構成部材を圧入し、接着固定していたが、図４の矢印Ｄ２で示すように、前方側から各種の構成部材を圧入するような構成であっても良い。
【００３３】
このため、本実施形態では、リアグリップ４０に、前方側に向けて延出する延長部（延長部４２Ａ）を形成しておき、この延長部４２Ａをスペーサとしている。また、このような延長部４２Ａには、前方側から管状体３５が圧入され、引き続き、ミッドグリップ３０、リールシート２０及びフロントグリップ１０が順に圧入れ、接着固定される。
このような構成では、元竿杆５はストレート形状にする必要はなく、穂先側に向けて次第に縮径するテーパ状に形成することが可能である。また、元竿杆５の基端部には、元竿杆（リアグリップ）の貫通孔を閉塞するためのキャップ６０が取着される。なお、このキャップについては、元竿杆外表面から径方向外方にフランジ等を形成しておき、最初に圧入されるリアグリップ４０の端縁がフランジに当て付けられて、その位置が固定されるようにしても良い。
【００３４】
このような構成であっても、上記した実施形態と同様、リアグリップやミッドグリップの径を太径化する必要がなくなり、全体として軽量化が図れると共に、外観を綺麗に仕上げることが可能となる。
【００３５】
なお、このような構成においても、上記した図３に示した実施形態のように、ミッドグリップ３１に、後方に延出する延長部３２Ａを形成し、この部分を管状体３５の内面に圧入するようにしても良いし、図２に示したように、延長部を形成することなく、管状体の端縁にミッドグリップを当て付けるようにしても良い。
【００３６】
以上、本発明の実施形態について説明したが、本発明は、上記した実施形態に限定されることはなく、種々変形することが可能である。
上記した構成において、元竿杆５は、管状体として構成したが、中実体として構成しても良い。また、スペーサは、釣竿ホルダ用のロッドクランプが境着される部分のグリップ間に配設されていれば良く、元竿杆に装着されるグリップは２箇所であっても良い。さらに、元竿杆に圧入して接着固定される各グリップの形状、長さ、材質等については、適宜変形することが可能である。
【符号の説明】
【００３７】
１  釣竿
５  元竿杆
１０  フロントグリップ
２０  リールシート
３０  ミッドグリップ（前グリップ）
３２  延長部（スペーサ）
３５  管状体
４０  リアグリップ（後グリップ）
４２  延長部（スペーサ）
【図１】
2019058157.tif 000003
【図２】
2019058157.tif 000004
【図３】
2019058157.tif 000005
【図４】
2019058157.tif 000006
【図５】
2019058157.tif 000007
【図６】
2019058157.tif 000008